(57)【要約】      （修正有）【課題】従来よりスムーズに作動することができるダンパ装置を提供する。【解決手段】端板２０及び管壁２１を有し、端板２０及び管壁２１により管内空間２２が画成されている管体２と、管内空間２２内に収容されているピストンヘッド４１及びピストンヘッド４１に固定されている一端から管体２の開口外に延伸するピストンロッド４２を有し、ピストンヘッド４１で管内空間２２を第１のチャンバー２２４と第２のチャンバー２２３とに仕切るように配置構成されているピストン手段４と、を備えているダンパ装置において、ピストンヘッド４１に縮径部が形成されていると共に、水密リング４３を具えていることを特徴とするダンパ装置を提供する。【選択図】図４
0003189295.tif 000002
【実用新案登録請求の範囲】
【請求項１】
端板と、前記端板と直交する中軸に沿って前記端板の周縁から延伸して先端に開口が形成されている管壁と、を有し、前記端板と前記管壁とにより管内空間が画成されている管体と、
前記管内空間内に収容されているピストンヘッドと、前記ピストンヘッドに固定されている一端から、前記管体の前記開口外に露出している他端まで延伸するピストンロッドと、を有し、前記ピストンヘッドで前記管内空間を前記ピストンヘッドから前記端板までの第１のチャンバーと、前記第１のチャンバーの反対側にある第２のチャンバーと、に仕切るように配置構成されているピストン手段と、を備えているダンパ装置において、
前記ピストンヘッドは、
前記ピストンロッドの前記一端が固定されている本体と、
前記本体の前記開口に面する端部の周面から前記管壁に向かって張り出し、且つ前記管内空間を前記第１のチャンバーと前記第２のチャンバーとに仕切る仕切りフランジと、
前記本体の前記端板に面する端部の周面から前記管壁に向かって張り出す保持フランジと、
前記第１のチャンバーと前記第２のチャンバーとを連通させる流路と、
前記本体を包囲するように前記仕切りフランジの前記保持フランジに面する端面から突出すると共に、前記管壁に向かう周面の外径が徐々に窄まっていく縮径部と、
前記仕切りフランジと前記保持フランジと前記縮径部とにより画成される前記管壁に向かって開口する環状溝内に可動的に嵌め込まれると共に、前記ピストンヘッドの前記管体に対する移動方向に応じて前記仕切りフランジと前記管壁とに同時に当接する当接位置と、該当接位置から離れるリリース位置と、の間で移動することができるように配置構成されている水密リングと、を具えていることを特徴とするダンパ装置。
【請求項２】
前記流路は、前記仕切りフランジを貫通するように形成されていることを特徴とする請求項１に記載のダンパ装置。
【請求項３】
前記流路は、前記仕切りフランジ及び前記縮径部を貫通するように形成されていることを特徴とする請求項２に記載のダンパ装置。
【請求項４】
前記管体は、前記開口を封止するキャップを更に備えており、
前記ピストン手段は、前記ピストンロッドに摺動可能に取付けられていると共に、前記ピストンロッドと前記管体の前記管壁との間に挟まれている可動仕切りブロックを更に備えており、
更に、前記第１のチャンバー及び、前記第２のチャンバーの前記仕切りフランジと前記可動仕切りブロックとの間に液体が充填されており、前記可動仕切りブロックと前記キャップとの間に気体が充填されていることを特徴とする請求項１〜請求項３のいずれか一項に記載のダンパ装置。
【請求項５】
前記保持フランジの外径が前記仕切りフランジの外径より小であると共に、
前記保持フランジに切欠または通過孔が開けられていることを特徴とする請求項１〜請求項４のいずれか一項に記載のダンパ装置。
【考案の詳細な説明】
【技術分野】
【０００１】
本考案はダンパ装置に関し、特に、ピストン構造を使用し、従来よりスムーズに作動することができるダンパ装置に関する。
【背景技術】
【０００２】
ピストン構造を使用する従来のダンパ装置は、例えば図１に示されるものが挙げられる。
【０００３】
図１に示されるダンパ装置１は、所定の方向（図中の上下方向）に沿って延伸するシリンダ１１内に、ピストンロッド１３２とピストンロッド１３２の先端にあるピストンヘッド１３１とからなるピストン１３が挿しこまれることによって、シリンダ１１内の空間１１０がピストンヘッド１３１によって第１の圧力室１１３と第２の圧力室１１４とに区切られていると共に、第１の圧力室１１３及び第２の圧力室１１４内に液体１１１が充填されている。また、図２及び図３に示されているように、該ダンパ装置１のピストンヘッド１３１には、シリンダ１１の内壁に当接できる水密リング１３３が可動的に取付けられている。
【０００４】
また、図２に示されているように、ピストンロッド１３２の一端が固定されている本体１３１０と、本体１３１０の第１の圧力室１１３に面する端部の周面からシリンダ１１の内壁に向かって張り出す第１のフランジ１３１１と、本体１３１０の第２の圧力室１１４に面する端部の周面からシリンダ１１の内壁に向かって張り出す第２のフランジ１３１２と、第１のフランジ１３１１と第２のフランジ１３１２との間に画成されて水密リング１３３を収容することができる収容凹部１３１３と、第１の圧力室１１３と第２の圧力室１１４とを連通させる連通路１３０が形成されている。
【０００５】
この構成によって、ピストン１３がシリンダ１１の延伸方向で移動すると、ピストン１３の移動元にある圧力室の圧力が下降し、ピストン１３の移動先にある圧力室の圧力が上昇すると共に、移動先にある圧力室内にある液体１１１が連通路１３０を経由して移動元にある圧力室に流れる一方、移動先にある圧力室内にある液体１１１の流体抵抗でピストンヘッド１３１並びにピストン１３の移動を減衰させることができる。また、図２に示されているように、ピストン１３が第１の圧力室１１３側から第２の圧力室１１４側へ移動する場合、収容凹部１３１３に収容されている水密リング１３３がシリンダ１１の内壁及び第１のフランジ１３１１に当接してシリンダ１１の内壁と摩擦しながら変形し、第１のフランジ１３１１とシリンダ１１の内壁との間にある隙間１３４を通過する液体１１１の流れを封止するので、第２の圧力室１１４からの液体１１１は連通路１３０を経由して第１の圧力室１１３へ流れるようになっているが、図３に示されているように、ピストン１３が第２の圧力室１１４側から第１の圧力室１１３側へ移動する場合、収容凹部１３１３に収容されている水密リング１３３が第２のフランジ１３１２に当接し、第１のフランジ１３１１及び第２のフランジ１３１２それぞれのシリンダ１１の内壁との間にある隙間１３４は封止されず、第１の圧力室１１３からの液体１１１は連通路１３０及び隙間１３４を経由して第２の圧力室１１４へ流れることができるので、ピストン１３の異なる方向への移動に対して、ダンパ装置１は異なる減衰効果を提供することができる。
【考案の概要】
【考案が解決しようとする課題】
【０００６】
しかし、上記従来のダンパ装置１では、ピストン１３が図２に示されている移動方向から図３に示されている移動方向に切り替わる場合、水密リング１３３はシリンダ１１の内壁と摩擦しながら第２のフランジ１３１２に当接する位置に移動するので、水密リング１３３とシリンダ１１の内壁とが摩擦する状態を解除するのに時間がかかる問題点がある。
【０００７】
従って、本考案は水密リングを案内して素早くシリンダの内壁と摩擦する状態を解除させることができるダンパ装置の提供を目的とする。
【課題を解決するための手段】
【０００８】
上記目的を達成すべく、本考案は、端板、及び前記端板と直交する中軸に沿って前記端板の周縁から延伸して先端に開口が形成されている管壁を有し、前記端板と前記管壁とにより管内空間が画成されている管体と、前記管内空間内に収容されているピストンヘッド、及び前記ピストンヘッドに固定されている一端から、前記管体の前記開口外に露出している他端まで延伸するピストンロッドを有し、前記ピストンヘッドで前記管内空間を前記ピストンヘッドから前記端板までの第１のチャンバー、及び前記第１のチャンバーの反対側にある第２のチャンバーに仕切るように配置構成されているピストン手段と、を備えているダンパ装置において、前記ピストンヘッドは、前記ピストンロッドの前記一端が固定されている本体と、前記本体の前記開口に面する端部の周面から前記管壁に向かって張り出し、且つ前記管内空間を前記第１のチャンバーと前記第２のチャンバーとに仕切る仕切りフランジと、前記本体の前記端板に面する端部の周面から前記管壁に向かって張り出す保持フランジと、前記第１のチャンバーと前記第２のチャンバーとを連通させる流路と、前記本体を包囲するように前記仕切りフランジの前記保持フランジに面する端面から突出すると共に、前記管壁に向かう周面の外径が徐々に窄まっていく縮径部と、前記仕切りフランジと前記保持フランジと前記縮径部とにより画成される前記管壁に向かって開口する環状溝内に可動的に嵌め込まれると共に、前記ピストンヘッドの前記管体に対する移動方向に応じて前記仕切りフランジと前記管壁とに同時に当接する当接位置、及び該当接位置から離れるリリース位置の間で移動することができるように配置構成されている水密リングと、を具えていることを特徴とするダンパ装置を提供する。
【０００９】
上記ダンパ装置において、前記流路は、前記仕切りフランジを貫通するように形成されていることが好ましい。
【００１０】
上記ダンパ装置において、前記流路は、前記仕切りフランジ及び前記縮径部を貫通するように形成されていることが好ましい。
【００１１】
上記ダンパ装置において、前記管体は、前記開口を封止するキャップを更に備えており、前記ピストン手段は、前記ピストンロッドに摺動可能に取付けられていると共に、前記ピストンロッドと前記管体の前記管壁との間に挟まれている可動仕切りブロックを更に備えており、更に、前記第１のチャンバー及び、前記第２のチャンバーの前記仕切りフランジと前記可動仕切りブロックとの間に液体が充填されており、前記可動仕切りブロックと前記キャップとの間に気体が充填されていることが好ましい。
【００１２】
上記ダンパ装置において、前記保持フランジの外径が前記仕切りフランジの外径より小であると共に、前記保持フランジに切欠または通過孔が開けられていることが好ましい。
【考案の効果】
【００１３】
上記構成による本考案のダンパ装置のピストンヘッドは、本体を包囲するように仕切りフランジの保持フランジに面する端面から突出すると共に、管壁に向かう周面の外径が徐々に窄まっていく縮径部を有しているので、水密リングが仕切りフランジに当接して仕切りフランジと管壁との間にある隙間を封止する位置から離れるとき、縮径部の介在によって管壁と摩擦せずに素早く前記隙間から離れるので、減衰効果が素早く変化するダンパ装置を提供することができる。
【図面の簡単な説明】
【００１４】
【図１】従来のダンパ装置の構成例の断面図である。
【図２】同従来のダンパ装置が作動する様子が示されている要部断面図である。
【図３】同従来のダンパ装置が作動する様子が示されている要部断面図である。
【図４】本考案のダンパ装置の第１の実施形態の構成例の断面図である。
【図５】同実施形態のダンパ装置が有するピストンヘッドの構成が示されている斜視図である。
【図６】同実施形態のダンパ装置が作動する様子が示されている要部断面図である。
【図７】同実施形態のダンパ装置が作動する様子が示されている要部断面図である。
【図８】本考案のダンパ装置の第２の実施形態の構成例の断面図である。
【図９】本考案のダンパ装置の第２の実施形態が作動する様子が示されている断面図である。
【考案を実施するための形態】
【００１５】
以下では各図面を参照しながら、本考案のダンパ装置の各好ましい構成例について詳しく説明する。
【００１６】
図４に示されているように、本考案のダンパ装置は、端板２０及び端板２０と直交する中軸Ｌに沿って端板２０の周縁から延伸して先端に開口が形成されている管壁２１を有し、端板２０と管壁２１とにより管内空間２２が画成されている管体２と、管内空間２２内に収容されているピストンヘッド４１及びピストンヘッド４１に固定されている一端から、管体２１の前記開口外に露出している他端まで延伸するピストンロッド４２を有し、ピストンヘッド４１で管内空間２２をピストンヘッド４１から端板２０までの第１のチャンバー２２４、及び第１のチャンバー２２４の反対側にある第２のチャンバー２２３に仕切るように配置構成されているピストン手段４と、を備えている。また、この実施形態において、管壁２１の先端に形成されている開口は、ピストンロッド４２により挿通されているサイドキャップ２３及び固定キャップ３１によって封止されており、そして管内空間２２内にピストンロッド４２により挿通されてピストンロッド４２と管体２の管壁２１との間に挟まれている可動仕切りブロック３２が第１のチャンバー２２４の反対側に配置されている。ピストンヘッド４１から可動仕切りブロック３２までの空間が第２のチャンバー２２３となって、第１のチャンバー２２４と共に液体２２１が充填されており、そして可動仕切りブロック３２から固定キャップ３１までの空間は空気が充填されている空気チャンバー２２２となる。
【００１７】
図５〜図７に示されているように、この実施形態において、ピストンヘッド４１は、ピストンロッド４２の一端が固定されている本体４１０と、本体４１０の前記開口に面する端部の周面から管壁２１に向かって張り出し、且つ管内空間２２を第１のチャンバー２２４と第２のチャンバー２２３とに仕切る仕切りフランジ４１１と、本体４１０の端板２０に面する端部の周面から管壁２１に向かって張り出す保持フランジ４１６と、第１のチャンバー２２４と第２のチャンバー２２３とを連通させる流路４０と、本体４１０を包囲するように仕切りフランジ４１１の保持フランジ４１６に面する端面から突出すると共に、管壁２１に向かう周面の外径が徐々に窄まっていく縮径部４１５と、仕切りフランジ４１１と保持フランジ４１６と縮径部４１５とにより画成される管壁２１に向かって開口する環状溝４１３内に可動的に嵌め込まれると共に、ピストンヘッド４１の管体２１に対する移動方向に応じて仕切りフランジ４１１と管壁２１とに同時に当接する当接位置（図６参照）、及び該当接位置から離れるリリース位置（図７参照）の間で移動することができるように配置構成されている水密リング４３と、を具えている。
【００１８】
図示のように、この実施形態において、流路４０は、第２のチャンバー２２３に向かって開口する細径部４０１と、細径部４０１と連通すると共に、第１のチャンバー２２４に向かって開口する広径部４０２と、を有するよう、仕切りフランジ４１１及び縮径部４１５を貫通して形成されている。場合に応じて、仕切りフランジ４１１のみを貫通する構成も採用することが可能である。そして保持フランジ４１６は外径が仕切りフランジ４１１の外径より小に形成されていると共に、保持フランジ４１６に切欠４１８が形成されている。ちなみに、保持フランジ４１６に切欠４１８を形成せず、代わりに通過孔を形成することも可能である。
【００１９】
上記構成により、本考案のダンパ装置のピストンヘッド４１は、本体４１０を包囲するように仕切りフランジ４１１の保持フランジ４１６に面する端面から突出すると共に、管壁２１に向かう周面の外径が徐々に窄まっていく縮径部４１５を有しているので、図６に示されているように、ピストンヘッド４１が矢印４４で示される第２のチャンバー２２３から第１のチャンバー２２４側へ移動すると、水密リング４３が仕切りフランジ４１１に当接して仕切りフランジ４１１と管壁２１との間にある隙間を封止するようになり、そしてこの図６に示されている状態から図７に示されているように、ピストンヘッド４１が矢印４５で示される第１のチャンバー２２４から第２のチャンバー２２３側へ移動するため水密リング４３が仕切りフランジ４１１と管壁２１との間にある隙間から離れるとき、縮径部４１５の介在によって管壁２１と摩擦せずに素早く前記隙間から離れてこの図７に示される状態になるので、減衰効果が素早く変化するダンパ装置を提供することができる。
【００２０】
また、図８、図９では本考案のダンパ装置の第２の好ましい実施形態が示されており、図示のように、この第２の好ましい実施形態では第１の実施形態と同じ構成になっているピストンヘッド４１を有している上、ピストンロッド４２により挿通される可動仕切りブロック３２とサイドキャップ２３との間にばね３４が取付けられている。ばね３４は可動仕切りブロック３２からサイドキャップ２３側へ突出するばね設置座３３に取り付けられ、空気チャンバー２２２の圧力と第１のチャンバー２２４と第２のチャンバー２２３との間で圧力バランス調整をサポートする役割を果たすことができる。即ち、図８に示されているように、ピストンヘッド４１が端板２０に接近し、第１のチャンバー２２４を圧縮すると、第１のチャンバー２２４にあった液体がピストンヘッド４１に形成されている流路４０を経由して第２のチャンバー２２３に注入して第２のチャンバー２２３の圧力を第１のチャンバー２２４の圧力とバランスを取るように上昇させ、そして可動仕切りブロック３２もこの圧力変化に対応してサイドキャップ２３側へ移動し、ばね３４を圧縮すると共に空気チャンバー２２２の内圧を上昇させる。
【００２１】
また、図９に示されているように、ピストンヘッド４１が端板２０から離れて可動仕切りブロック３２側に移動し、第１のチャンバー２２４の内圧が下がると、第２のチャンバー２２３にあった液体がピストンヘッド４１に形成されている流路４０を経由して第１のチャンバー２２４に吸入されるように第２のチャンバー２２３の内圧を下降させ、そして可動仕切りブロック３２もこの圧力変化に対応してサイドキャップ２３側から端板２０側へ移動し、ばね３４を引張ると共に空気チャンバー２２２の内圧を下降させる。
【００２２】
この図８及び図９に示される作動において、可動仕切りブロック３２とサイドキャップ２３との間に取付けられているばね３４は空気チャンバー２２２の内圧変化に対抗するように働き、空気チャンバー２２２の内圧変化を和らげることができる。
【産業上の利用可能性】
【００２３】
上記構成による本考案のダンパ装置のピストンヘッドは、本体を包囲するように仕切りフランジの保持フランジに面する端面から突出すると共に、管壁に向かう周面の外径が徐々に窄まっていく縮径部を有しているので、水密リングが仕切りフランジに当接して仕切りフランジと管壁との間にある隙間を封止する位置から離れるとき、縮径部の介在によって管壁と摩擦せずに素早く前記隙間から離れるので、減衰効果が素早く変化するダンパ装置を提供することができる。
【符号の説明】
【００２４】
２  管体
２０  端板
２１  管壁
２２  管内空間
２２１  液体
２２２  空気チャンバー
２２３  第２のチャンバー
２２４  第１のチャンバー
２３  サイドキャップ
３１  固定キャップ
３２  可動仕切りブロック
３３  ばね設置座
３４  ばね
４  ピストン手段
４０  流路
４０１  細径部
４０２  広径部
４１  ピストンヘッド
４１０  本体
４１１  仕切りフランジ
４１３  環状溝
４１５  縮径部
４１６  保持フランジ
４１８  切欠
４２  ピストンロッド
４３  水密リング
４４  矢印
４５  矢印
【図１】
0003189295.tif 000003
【図２】
0003189295.tif 000004
【図３】
0003189295.tif 000005
【図４】
0003189295.tif 000006
【図５】
0003189295.tif 000007
【図６】
0003189295.tif 000008
【図７】
0003189295.tif 000009
【図８】
0003189295.tif 000010
【図９】
0003189295.tif 000011